(57)【特許請求の範囲】
【請求項１】
コンタクトが挿入される複数のコンタクト保持用孔が設けられたハウジングと、
前記ハウジングに収容され、前記コンタクト保持用孔への流体の浸入を阻止するシール部材と
を備えるコネクタにおいて、
前記シール部材が、
前記コンタクトに接続されたケーブルを通す複数のケーブル通し孔が設けられ、前記ハウジングの内周面に密着するシール部材本体部と、
前記シール部材本体部に設けられ、前記ケーブル通し孔の間に配置された仕切り部と、
前記仕切り部に結合され、前記仕切り部を前記ハウジングに対して位置決めする位置決め部とを有し、
前記ケーブル通し孔と前記コンタクト保持用孔とが、前記コンタクト保持用孔に対する前記コンタクトの挿入方向で対向し、
前記仕切り部及び前記位置決め部の材料の弾性率が、前記シール部材本体部の材料の弾性率よりも大きく、
前記ハウジングの内周面に対向する前記位置決め部の外面が、前記シール部材本体部の外へ露出し、
前記シール部材本体部は、前記仕切り部及び前記位置決め部を保持する本体部と、前記本体部の外周面にその周方向に沿って形成された複数の隆起部とを有し、
前記隆起部間に前記位置決め部の外面が露出している
ことを特徴とするコネクタ。
【請求項２】
前記複数のケーブル通し孔が複数の列に配置され、
前記仕切り部が、隣接する一方の列の前記ケーブル通し孔と他方の列の前記ケーブル通し孔との間を仕切る
ことを特徴とする請求項１に記載のコネクタ。
【請求項３】
前記複数のケーブル通し孔が複数の列に配置され、
前記仕切り部が、前記各列の隣接する前記ケーブル通し孔間を仕切る
ことを特徴とする請求項１に記載のコネクタ。
【請求項４】
前記複数のケーブル通し孔が複数の列に配置され、
前記仕切り部が、隣接する一方の列の前記ケーブル通し孔と他方の列の前記ケーブル通し孔との間を仕切るとともに、前記各列の隣接する前記ケーブル通し孔間を仕切る
ことを特徴とする請求項１に記載のコネクタ。
【請求項５】
前記位置決め部が矩形の枠状である
ことを特徴とする請求項１〜４のいずれか１項に記載のコネクタ。
【請求項６】
前記複数のケーブル通し孔に対応する複数のケーブル貫通孔を有し、前記ハウジングに装着されて前記シール部材の前記ハウジングからの脱落を阻止するカバー部材を備えていることを特徴とする請求項１〜５のいずれか１項に記載のコネクタ。
【発明の詳細な説明】
【技術分野】
【０００１】
この発明はコネクタに関する。
【背景技術】
【０００２】
従来、図１８〜図２０に示すように、ハウジング９１１と、ハウジング９１１のゴムシート収容枠部９１３に収容されるゴムシート９２０とを備える防水コネクタ９１０が知られている(下記特許文献１参照)。
【０００３】
ハウジング９１１には、電線９３０の先端部に接続された端子９３５を収容する複数の端子収容室９１２が設けられている。
【０００４】
端子収容室９１２はハウジング９１１の前後方向へ貫通している。ハウジング９１１の上段、中段、下段に、それぞれ、ハウジング９１１の左右方向に沿って６つの端子収容室９１２が並んでいる。
【０００５】
ゴムシート９２０は、ゴムシート本体９２１と、ゴムシート本体９２１に設けられた弾性材充填部９２３とを有する。
【０００６】
ゴムシート本体９２１には、電線９３０が通される複数の電線貫通孔９２４が設けられている。電線貫通孔９２４の配列はハウジング９１１の端子収容室９１２の配列に対応している。
【０００７】
弾性材充填部９２３は、上段の電線貫通孔９２４−１の列と中段の電線貫通孔９２４−２の列との間、中段の電線貫通孔９２４−２の列と下段の電線貫通孔９２４−３の列との間に、それぞれ位置している。弾性材充填部９２３には弾性材９２２が充填されている。
【０００８】
ハウジング９１１のゴムシート収容枠部９１３にゴムシート９２０が収容されると、ゴムシート９２０の外周シール部９２６がハウジング９１１のゴムシート収容枠部９１３の内周面９１３Ａに密着する。このときハウジング９１１の端子収容室９１２とゴムシート９２０の電線貫通孔９２４とはハウジング９１１の前後方向で対向している。
【０００９】
ハウジング９１１のゴムシート収容枠部９１３に収容されたゴムシート９２０の電線貫通孔９２４に、電線９３０の先端部に接続された端子９３５を挿入すると、端子９３５はハウジング９１１の端子収容室９１２に収容され、電線９３０の外周面に電線貫通孔９２４の内周シール部９２７が密着する（図２０参照）。
【先行技術文献】
【特許文献】
【００１０】
【特許文献１】特開２０１０−３５２２号公報
【発明の概要】
【発明が解決しようとする課題】
【００１１】
弾性材充填部９２３の弾性材９２２の弾性率が特許文献１に記載されているようにゴムシート本体９２１の弾性率よりも大きいとすれば、電線貫通孔９２４に電線９３０が挿入され、電線貫通孔９２４の内周シール部９２７が電線貫通孔９２４の内径が大きくなる方向へ圧縮されたとき、その圧縮力が、その電線貫通孔９２４に隣接する、電線９３０が挿入されていない電線貫通孔９２４に弾性材９２２を介して伝播する。その結果、電線９３０が各電線貫通孔９２４に順次挿入されるにしたがって、電線９３０が挿入されていない電線貫通孔９２４の変形が進むとともに、電線貫通孔９２４の位置とハウジング９１１の端子収容室９１２の位置とのずれが次第に大きくなり、端子９３５の挿入力が大きくなる。
【００１２】
例えば、まずハウジング９１１の上段の列の端子収容室９１２に端子９３５を挿入し、次に中段の列の端子収容室９１２に端子９３５を挿入し、最後に下段の列の端子収容室９１２に端子９３５を挿入する場合、中段の列の端子収容室９１２に端子９３５を挿入する作業は、上段の列の端子収容室９１２に端子９３５を挿入する作業よりも困難になり、下段の列の端子収容室９１２に端子９３５を挿入する作業は、中段の列の端子収容室９１２に端子９３５を挿入する作業よりも更に困難になる。
【００１３】
この発明はこのような事情に鑑みてなされたもので、その課題は、シール部材のケーブル通し孔にケーブルを挿入したとき、そのケーブル通し孔に隣接する、ケーブルが挿入されていないケーブル通し孔の変形を抑制するとともに、ケーブル通し孔の位置とハウジングのコンタクト保持用孔の位置とのずれを抑制することができるコネクタを提供することである。
【課題を解決するための手段】
【００１４】
上記課題を解決するため請求項１記載の発明は、コンタクトが挿入される複数のコンタクト保持用孔が設けられたハウジングと、前記ハウジングに収容され、前記コンタクト保持用孔への流体の浸入を阻止するシール部材とを備えるコネクタにおいて、前記シール部材が、前記コンタクトに接続されたケーブルを通す複数のケーブル通し孔が設けられ、前記ハウジングの内周面に密着するシール部材本体部と、前記シール部材本体部に設けられ、前記ケーブル通し孔の間に配置された仕切り部と、前記仕切り部に結合され、前記仕切り部を前記ハウジングに対して位置決めする位置決め部とを有し、前記ケーブル通し孔と前記コンタクト保持用孔とが、前記コンタクト保持用孔に対する前記コンタクトの挿入方向で対向し、前記仕切り部及び前記位置決め部の材料の弾性率が、前記シール部材本体部の材料の弾性率よりも大きく、前記ハウジングの内周面に対向する前記位置決め部の外面が、前記シール部材本体部の外へ露出し、前記シール部材本体部は、前記仕切り部及び前記位置決め部を保持する本体部と、前記本体部の外周面にその周方向に沿って形成された複数の隆起部とを有し、前記隆起部間に前記位置決め部の外面が露出していることを特徴とする。
【００１５】
請求項２記載の発明は、請求項１に記載のコネクタにおいて、前記複数のケーブル通し孔が複数の列に配置され、前記仕切り部が、隣接する一方の列の前記ケーブル通し孔と他方の列の前記ケーブル通し孔との間を仕切ることを特徴とする。
【００１６】
請求項３記載の発明は、請求項１に記載のコネクタにおいて、前記複数のケーブル通し孔が複数の列に配置され、前記仕切り部が、前記各列の隣接する前記ケーブル通し孔間を仕切ることを特徴とする。
【００１７】
請求項４記載の発明は、請求項１に記載のコネクタにおいて、前記複数のケーブル通し孔が複数の列に配置され、前記仕切り部が、隣接する一方の列の前記ケーブル通し孔と他方の列の前記ケーブル通し孔との間を仕切るとともに、前記各列の隣接する前記ケーブル通し孔間を仕切ることを特徴とする。
【００２０】
請求項５記載の発明は、請求項１〜４のいずれか１項に記載のコネクタにおいて、前記位置決め部が矩形の枠状であることを特徴とする。
【００２１】
請求項６記載の発明は、請求項１〜５のいずれか１項に記載のコネクタにおいて、前記複数のケーブル通し孔に対応する複数のケーブル貫通孔を有し、前記ハウジングに装着されて前記シール部材の前記ハウジングからの脱落を阻止するカバー部材を備えていることを特徴とする。
【発明の効果】
【００２２】
この発明によれば、シール部材のケーブル通し孔にケーブルを挿入したとき、そのケーブル通し孔に隣接する、ケーブルが挿入されていないケーブル通し孔の変形を抑制するとともに、ケーブル通し孔の位置とハウジングのコンタクト保持用孔の位置とのずれを抑制することができるコネクタを提供することができる。
【図面の簡単な説明】
【００２３】
【図１】この発明の一実施形態に係るコネクタの斜視図である。
【図２】図１に示すコネクタの背面図である。
【図３】図２のIII-III線に沿う断面図である。
【図４】図２のIV-IV線に沿う断面図である。
【図５】図１に示すコネクタの分解斜視図である。
【図６】図１に示すコネクタのシール部材の斜視図である。
【図７】図６に示すシール部材の正面図である。
【図８】図６に示すシール部材の平面図である。
【図９】図６に示すシール部材の側面図である。
【図１０】図７に示すX-X線に沿う断面図である。
【図１１】図９に示すXI-XI線に沿う断面図である。
【図１２】図１１に示すシール部材の仕切り部及び位置決め部の斜視図である。
【図１３】図１２に示す仕切り部及び位置決め部の正面図である。
【図１４】図１に示すコネクタに最後のコンタクトを挿入する前の状態を示す斜視図である。
【図１５】図１に示すコネクタの第１変形例の仕切り部及び位置決め部の正面図である。
【図１６】図１に示すコネクタの第２変形例の仕切り部及び位置決め部の正面図である。
【図１７】図１に示すコネクタの第３変形例の仕切り部及び位置決め部の正面図である。
【図１８】従来の防水コネクタの分解斜視図である。
【図１９】図１８に示すゴムシートのXIX−XIX線に沿う断面図である。
【図２０】ハウジングにゴムシートを装着した状態で、電線の端子をハウジングの端子収容室に挿入する工程を示す断面図である。
【発明を実施するための形態】
【００２４】
以下、この発明の実施の形態を図面に基づいて説明する。
【００２５】
まず、図１〜図１４に基づいてこの発明の一実施形態に係るコネクタを説明する。
【００２６】
図５に示すように、コネクタ１は防水コネクタであり、ハウジング３とシール部材５とリアカバー部材（カバー部材）７とを備える。
【００２７】
図１〜図４に示すように、ハウジング３はフロント部３１とリア部３２とで構成される。フロント部３１は嵌合部３１１と外殻部３１２とを有する。嵌合部３１１は図示しない相手側コネクタの相手側ハウジングに嵌合される。嵌合部３１１には、複数のコンタクト保持用孔３１３が上下２列に形成されている。各列のコンタクト保持用孔３１３はハウジング３の幅方向Ｗに沿って等間隔に並んでいる。各コンタクト保持用孔３１３はハウジング３の前後方向（後述するコンタクト２の挿入方向Ｉと同じ）へ延びる。各コンタクト保持用孔３１３には、図１４に示すケーブル８の先端部に接続されたコンタクト２が挿入される。嵌合部３１１のコンタクト保持用孔３１３の内面には、コンタクト保持用孔３１３に挿入されたコンタクト２に引っ掛かり、コンタクト保持用孔３１３からのコンタクト２の抜けを阻止するランス３１４が形成されている。コンタクト保持用孔３１３内に保持されたコンタクト２は、相手側コネクタの相手側コンタクトを受け容れる。嵌合部３１１の外周面には相手側コネクタ用シール部材３１５が装着されている。相手側コネクタ用シール部材３１５は、相手側ハウジングの内周面と嵌合部３１１の外周面とに挟まれて圧縮され、相手側ハウジング内及びコンタクト保持用孔３１３に水（流体）が浸入するのを阻止する。外殻部３１２は嵌合部３１１を取り囲んでいる。外殻部３１２の後端部は嵌合部３１１の後端部に結合されている。外殻部３１２の内周面と嵌合部３１１の外周面との間には、相手側ハウジングを受け容れる受容空間３１６が形成される。
【００２８】
リア部３２は、シール部材収容部３２１とリアカバー部材収容部３２２と凹部３２４とを有する。シール部材収容部３２１は嵌合部３１１の後方に位置する。シール部材収容部３２１内にはシール部材５が収容される。シール部材収容部３２１の内部空間はコンタクト保持用孔３１３に通じている。
【００２９】
リアカバー部材収容部３２２はシール部材収容部３２１の後方に位置する。リアカバー部材収容部３２２内にはリアカバー部材７が収容される。リアカバー部材収容部３２２の内周面には６個の爪３２３が形成されている（図２、図５参照）。凹部３２４はリア部３２の上部に位置している。
【００３０】
図６〜図１１に示すように、シール部材５はシール部材本体部５１と仕切り部５２と位置決め部５３とを有する。
【００３１】
シール部材本体部５１は、仕切り部５２を保持するほぼ矩形の本体部５１１と、本体部５１１の外周面５１１Ａに形成された２個の隆起部５１２とを有する。２個の隆起部５１２は外周面５１１Ａに沿って延びている。本体部５１１と隆起部５１２とは一体である。シール部材本体部５１の材料としては例えばシリコーンゴムが挙げられる。本体部５１１には上下２列に複数のケーブル通し孔５１３が形成されている。各列のケーブル通し孔５１３はハウジング３の幅方向Ｗに沿って等間隔に並んでいる。ケーブル通し孔５１３はコンタクト２に接続されたケーブル８が通される。ケーブル通し孔５１３とコンタクト保持用孔３１３とは、コンタクト保持用孔３１３に対するコンタクト２の挿入方向Ｉで対向する。ケーブル通し孔５１３の両端部には、コンタクト２をケーブル通し孔５１３に誘い入れる誘い部５１４が形成されている。シール部材５を後方から見たときのシール部材本体部５１の外周面の形状は、ハウジング３を後方から見たときのシール部材収容部３２１の内周面の形状と相似形である。
【００３２】
位置決め部５３は矩形の枠状であり、上辺部５３１と下辺部５３２と右辺部５３３と左辺部５３４と第１角部５３５と第２角部５３６と第３角部５３７と第４角部５３８とを有する。上辺部５３１と下辺部５３２とはそれぞれハウジング３の幅方向Ｗに沿って延びる。右辺部５３３と左辺部５３４とはそれぞれハウジング３の上下方向Ｈに沿って延びる。第１角部５３５は上辺部５３１と右辺部５３３とを結合する。第２角部５３６は右辺部５３３と下辺部５３２とを結合する。第３角部５３７は下辺部５３２と左辺部５３４とを結合する。第４角部５３８は左辺部５３４と上辺部５３１とを結合する。第１角部５３５〜第４角部５３８は、シール部材５がシール部材収容部３２１に収容されたとき、シール部材収容部３２１の４つの角部にそれぞれ配置される。位置決め部５３はシール部材本体部５１に埋設されている。位置決め部５３の外面５３Ａは隆起部５１２間に露出している（図１０参照）。
【００３３】
仕切り部５２と位置決め部５３とは一体である。仕切り部５２及び位置決め部５３の材料としては、例えばＰＢＴ（ポリブチレンテレフタレート）樹脂が挙げられる。
【００３４】
仕切り部５２及び位置決め部５３の材料の弾性率は、シール部材本体部５１の材料の弾性率よりも大きい。
【００３５】
リアカバー部材７は板状であり、複数の貫通孔（ケーブル貫通孔）７１を有する。貫通孔７１は上下２列に配置されており、コンタクト２の挿入方向Ｉでケーブル通し孔５１３に対向する。貫通孔７１にはコンタクト２に接続されたケーブル８が通される。リアカバー部材７の上部には、ハウジング３の凹部３２４との干渉を避けるための凹部７２が形成されている。リアカバー部材７の外周面には、ハウジング３の爪３２３を収容する６個の爪収容部７３が形成されている。
【００３６】
コネクタ１を組み立てるには、まず、シール部材５をハウジング３のシール部材収容部３２１内に収容する。このとき、シール部材５の隆起部５１２がハウジング３のシール部材収容部３２１の内周面に密着する。また、位置決め部５３の外面５３Ａとシール部材収容部３２１の内周面とはわずかな隙間を介してコンタクト２の挿入方向Ｉと直交する方向で対向する（図３、図４参照）。位置決め部５３の外面５３Ａとは、シール部材収容部３２１の内周面と対向する位置決め部５３の外側の面である（この実施形態では外周面）。
【００３７】
次に、リアカバー部材７をハウジング３のリアカバー部材収容部３２２内に収容する。このとき、リアカバー部材７の爪収容部７３にハウジング３の爪３２３が入る。爪収容部７３に爪３２３が入ると、リアカバー部材７はハウジング３に固定され、シール部材５のハウジング３からの脱落が阻止される。
【００３８】
図１１〜図１３に示すように、仕切り部５２は１個の横仕切り部５２１と５個の縦仕切り部５２２とで構成されている。横仕切り部５２１はハウジング３の幅方向Ｗに沿って延びる。横仕切り部５２１はシール部材本体部５１に埋設され、位置決め部５３の右辺部５３３と左辺部５３４との間に架け渡されている。縦仕切り部５２２はハウジング３の上下方向Ｈに沿って延びる。縦仕切り部５２２はシール部材本体部５１に埋設され、位置決め部５３の上辺部５３１と下辺部５３２との間に架け渡されている。横仕切り部５２１は、上の列のケーブル通し孔５１３と下の列のケーブル通し孔５１３との間に配置され、上の列のケーブル通し孔５１３と下の列のケーブル通し孔５１３との間を仕切る。縦仕切り部５２２は、横仕切り部５２１に直交するとともに、上下の各列の隣接するケーブル通し孔５１３間に配置され、各列の隣接するケーブル通し孔５１３間を仕切る。
【００３９】
最後に、リアカバー部材７の貫通孔７１及びシール部材５のケーブル通し孔５１３を介してコンタクト２をハウジング３のコンタクト保持用孔３１３に挿入する。その結果、貫通孔７１及びケーブル通し孔５１３にケーブル８が通される。以上の作業により、コネクタ１の組立が完了する。
【００４０】
シール部材本体部５１のケーブル通し孔５１３にケーブル８が通されると、シール部材本体部５１のケーブル通し孔５１３の内周面の周辺部分がケーブル通し孔５１３の内径が大きくなる方向へケーブル８によって圧縮され、その圧縮力が、そのケーブル通し孔５１３に隣接する、ケーブル８が挿入されていないケーブル通し孔５１３に仕切り部５２を介して伝播しようとする。しかし、位置決め部５３の外面５３Ａがシール部材収容部３２１の内周面に直ちに接触するので、ハウジング３のコンタクト保持用孔３１３の位置に対する仕切り部５２の位置（コンタクト２の挿入方向Ｉと直交する方向の位置）はほとんど変わらない。これにより、ハウジング３のコンタクト保持用孔３１３の位置に対して、ケーブル８が挿入されていないケーブル通し孔５１３の位置はほとんどずれないし、ケーブル通し孔５１３の形もほとんど変わらない。
【００４１】
コネクタ１の組立が完了したとき、シール部材５の隆起部５１２がハウジング３のシール部材収容部３２１の内周面に密着するとともに、ケーブル８の外周面にケーブル通し孔５１３の内周面が密着しているので、ハウジング３の後方からコンタクト保持用孔３１３への水の浸入が阻止される。
【００４２】
この実施形態によれば、リアカバー部材７の貫通孔７１及びシール部材５のケーブル通し孔５１３を介してコンタクト２をハウジング３のコンタクト保持用孔３１３に順次挿入するとき、ハウジング３のコンタクト保持用孔３１３の位置に対して、ケーブル８が挿入されていないケーブル通し孔５１３の位置がほとんどずれず、ケーブル通し孔５１３の形もほとんど変化しないので、ハウジング３のコンタクト保持用孔３１３へのコンタクト２の挿入力は大きくならず、作業性が向上する。
【００４３】
次に、図１５に基づいてこの発明の上述の実施形態の第１変形例を説明する。
【００４４】
上述の実施形態と共通する部分については同一符号を付してその説明を省略する。以下、上述の実施形態との主な相違部分についてだけ説明する。
【００４５】
上述の実施形態と第１変形例とは仕切り部５２，１５２と位置決め部５３，１５３との構造の点で相違する。第１変形例のシール部材本体部（図示せず）の外形は上述の実施形態のシール部材本体部５１の外形と同じである。
【００４６】
上述の実施形態では、仕切り部５２は横仕切り部５２１と縦仕切り部５２２とで構成されているが、第１変形例では、仕切り部１５２は横仕切り部５２１だけで構成されている。また、上述の実施形態では、位置決め部５３の上辺部５３１がハウジング３の幅方向Ｗに沿って第１角部５３５から第４角部５３８まで延び、位置決め部５３の下辺部５３２がハウジング３の幅方向Ｗに沿って第２角部５３６から第３角部５３７まで延びているが、第１変形例では、上述の実施形態の位置決め部５３の上辺部５３１と下辺部５３２とが存在しない。仕切り部１５２をハウジング３に対して位置決めする位置決め部１５３の機能は上述の実施形態の位置決め部５３の機能と同等である。
【００４７】
第１変形例は上述の実施形態と同様の効果を奏する。
【００４８】
次に、図１６に基づいてこの発明の上述の実施形態の第２変形例を説明する。
【００４９】
上述の実施形態と共通する部分については同一符号を付してその説明を省略する。以下、上述の実施形態との主な相違部分についてだけ説明する。
【００５０】
上述の実施形態と第２変形例とは仕切り部５２，２５２と位置決め部５３，２５３との構造の点で相違する。第２変形例のシール部材本体部（図示せず）の外形は上述の実施形態のシール部材本体部５１の外形と同じである。
【００５１】
第２変形例では、仕切り部２５２は縦仕切り部５２２だけで構成されている。また、第２変形例では、上述の実施形態の位置決め部５３の右辺部５３３と左辺部５３４とが存在しない。仕切り部２５２をハウジング３に対して位置決めする位置決め部２５３の機能は上述の実施形態の位置決め部５３の機能と同等である。
【００５２】
第２変形例は上述の実施形態と同様の効果を奏する。
【００５３】
次に、図１７に基づいてこの発明の上述の実施形態の第３変形例を説明する。
【００５４】
上述の実施形態と共通する部分については同一符号を付してその説明を省略する。以下、上述の実施形態との主な相違部分についてだけ説明する。
【００５５】
上述の実施形態と第３変形例とは位置決め部５３，３５３の構造の点で相違する。第３変形例のシール部材本体部（図示せず）の外形は上述の実施形態のシール部材本体部５１の外形と同じである。
【００５６】
第３変形例では、上述の実施形態の位置決め部５３の上辺部５３１と下辺部５３２とが存在しない。仕切り部５２をハウジング３に対して位置決めする位置決め部３５３の機能は上述の実施形態の位置決め部５３の機能と同等である。
【００５７】
第３変形例は上述の実施形態と同様の効果を奏する。
【００５８】
なお、上述の実施形態等では、シール部材５のケーブル通し孔５１３及びリアカバー部材７の貫通孔７１は、いずれも２列に配置されているが、それらの孔５１３，７１は、ハウジング３のコンタクト保持用孔３１３の配列に応じて、１列に配置されてもよいし、３列以上の複数列に配置されてもよい。
【００５９】
また、上述の実施形態等では、コネクタ１の構成部品としてリアカバー部材７を採用したが、リアカバー部材７は必ずしも必要ではない。
【００６０】
なお、上述の実施形態等では、シール部材本体部５１が２個の隆起部５１２を有するが、隆起部５１２は１個でもよいし、３個以上でもよい。
【００６１】
また、上述の実施形態等では、シール部材収容部３２１の内周面に対向する位置決め部５３，１５３，２５３，３５３の外面５３Ａがシール部材本体部５１の外へ露出しているが、位置決め部５３，１５３，２５３，３５３の外面５３Ａは必ずしも露出している必要はない。例えば位置決め部５３，１５３，２５３，３５３の外面５３Ａが薄いシリコーンゴム層で覆われていてもよい。
【００６２】
なお、上述の実施形態等では、本願発明を雌コネクタに適用した場合について述べたが、本願発明を雄コネクタ（図示せず）に適用することもできる。
【００６３】
また、上述の実施形態等では、シール部材５をハウジング３のシール部材収容部３２１に収容したとき、位置決め部５３，１５３，２５３，３５３の外面５３Ａとシール部材収容部３２１の内周面とがわずかな隙間を介して対向するように寸法設定したが、シール部材５をハウジング３のシール部材収容部３２１に収容したとき、位置決め部５３，１５３，２５３，３５３の外面５３Ａとシール部材収容部３２１の内周面とが互いに接触するように寸法設定してもよい。
【００６４】
なお、上述の実施形態等では、本願発明を防水コネクタに適用した場合について述べたが、本願発明を非防水コネクタ（図示せず）に適用してもよい。
【符号の説明】
【００６５】
１：コネクタ
２：コンタクト
３：ハウジング
３１：フロント部
３１１：嵌合部
３１２：外殻部
３１３：コンタクト保持用孔
３１４：ランス
３１５：相手側コネクタ用シール部材
３１６：受容空間
３２：リア部
３２１：シール部材収容部
３２２：リアカバー部材収容部
３２３：爪
３２４：凹部
５：シール部材
５１：シール部材本体部
５１１：本体部
５１１Ａ：外周面
５１２：隆起部
５１３：ケーブル通し孔
５１４：誘い部
５２，１５２，２５２：仕切り部
５２１：横仕切り部
５２２：縦仕切り部
５３，１５３，２５３，３５３：位置決め部
５３Ａ：外面
５３１：上辺部
５３２：下辺部
５３３：右辺部
５３４：左辺部
５３５：第１角部
５３６：第２角部
５３７：第３角部
５３８：第４角部
７：リアカバー部材（カバー部材）
７１：貫通孔（ケーブル貫通孔）
７２：凹部
７３：爪収容部
８：ケーブル
Ｗ：ハウジングの幅方向
Ｈ：ハウジングの上下方向
Ｉ：コンタクトの挿入方向
【図１】
0006443983.tif 000002
【図２】
0006443983.tif 000003
【図３】
0006443983.tif 000004
【図４】
0006443983.tif 000005
【図５】
0006443983.tif 000006
【図６】
0006443983.tif 000007
【図７】
0006443983.tif 000008
【図８】
0006443983.tif 000009
【図９】
0006443983.tif 000010
【図１０】
0006443983.tif 000011
【図１１】
0006443983.tif 000012
【図１２】
0006443983.tif 000013
【図１３】
0006443983.tif 000014
【図１４】
0006443983.tif 000015
【図１５】
0006443983.tif 000016
【図１６】
0006443983.tif 000017
【図１７】
0006443983.tif 000018
【図１８】
0006443983.tif 000019
【図１９】
0006443983.tif 000020
【図２０】
0006443983.tif 000021